【手続補正書】
【提出日】平成19年1月25日(2007.1.25)
【手続補正１】
【補正対象書類名】明細書
【補正対象項目名】請求項２
【補正方法】変更
【補正の内容】
【請求項２】
添加剤消費を抑制するアルコールが、以下の式：
【化１】
2003129270.tif 000001
（式中、Ｒ、Ｒ１、Ｒ２およびＲ３は独立して、水素；−ＯＨ；ヒドロキシ（Ｃ１−Ｃ２０）直鎖、分枝、または環状アルキル；ヒドロキシ（Ｃ２−Ｃ２０）直鎖、または分枝アルケニル；ヒドロキシ（Ｃ２−Ｃ２０）直鎖、または分枝アルキニル；ヒドロキシ（Ｃ１−Ｃ２０）直鎖、または分枝アルコキシ；ヒドロキシアリール；（Ｃ１−Ｃ２０）直鎖、分枝、または環状アルキル；（Ｃ２−Ｃ２０）直鎖、または分枝アルケニル；（Ｃ２−Ｃ２０）直鎖、または分枝アルキニル；（Ｃ１−Ｃ２０）直鎖、または分枝アルキニル；アリール；ハロゲン；チエニル；シラン；シリル；−Ｓｉ（ＯＨ）３；アミニル；アミニルハライド；ヒドロキシアミニル；−ＣＮ；ＳＣＮ；−Ｃ＝ＮＳ；−ＳＨ；−ＮＯ２；ＳＯ２Ｈ；−ＳＯ３Ｍ；ＰＯ３Ｍ；ケト；エステル；−Ｐ（Ｒ４）（ただし、Ｒ４は、水素またはハロゲンである）；またはアシルハライドである；ただし、Ｒ、Ｒ１、Ｒ２およびＲ３の少なくとも１つは−ＯＨ、ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、またはヒドロキシアリールであり；Ｍは水素またはアルカリ金属であり；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、ヒドロキシアリール、（Ｃ２−Ｃ２０）アルキル、（Ｃ２−Ｃ２０）アルケニル、（Ｃ２−Ｃ２０）アルキニル、およびアリール基は置換されているかまたは置換されていないとする；あるいは
Ｒ１およびＲ２は一緒になって結合を形成するか；またはＲ１およびＲ２はこれらが結合している原子と一緒になって、任意に１またはそれ以上の５または６員炭素環と縮合していてもよい５〜７員炭素環を形成する；該５〜７員環および１またはそれ以上の５〜６員縮合環はそれぞれ環において任意に１またはそれ以上のカルボニルを含んでいてもよい；あるいは５〜７員環、あるいは１またはそれ以上の５または６員縮合環はそれぞれ任意に複素原子、たとえば酸素または窒素を含んで、複素環を形成する；該複素環は、環中にカルボニル基を含んでもよい；５〜７員環、５〜６員縮合環および複素環は非置換であってもよいし、あるいは置換されていてもよい；ＲおよびＲ３は前記定義の通りである；Ｒ１およびＲ２は一緒になって結合を形成するかまたは環構造を形成する場合には、該化合物には少なくとも１つのＯＨ基が存在する）
を有する化合物である請求項１記載の金属メッキ浴。
【手続補正２】
【補正対象書類名】明細書
【補正対象項目名】請求項５
【補正方法】変更
【補正の内容】
【請求項５】
ナフタレン誘導体が、１，２−ジヒドロキシナフタレン、１，３−ジヒドロキシナフタレン、２，３−ジヒドロキシナフタレン、２，４−ジヒドロキシナフタレン、２，７−ジヒドロキシナフタレン、２，６−ジヒドロキシナフタレン、４，５−ジヒドロキシナフタレン−２，７−ジスルホン酸二ナトリウム塩、６，７−ジヒドロキシナフタレン−２，７−ジスルホン酸、６−ヒドロキシ−２−ナフタレンスルホン酸、４−アミノ−５−ヒドロキシ−２，７−ナフタレンジスルホン酸一ナトリウム塩、１，５−ジヒドロキシ−１，２，３，４−テトラヒドラ−ナフタレン、２，６−ジヒドロキシナフタレン、１，５−ジヒドロキシナフタレン、１−ナフトール−３，６−ジスルホン酸二ナトリウム塩水和物、デカヒドロ−２−ナフトール、１，２，３，４−テトラヒドロ−１−ナフトール、２−ナフタレンメタノール、１，６−ジヒドロキシナフタレン、６，７−ジヒドロキシ−２−ナフタレンスルホン酸半水和物または４−ヒドロキシ−１−ナフタレンスルホン酸ナトリウム塩を含む請求項４記載の金属メッキ浴。
【手続補正３】
【補正対象書類名】明細書
【補正対象項目名】請求項１０
【補正方法】変更
【補正の内容】
【請求項１０】
添加剤消費を抑制するアルコールが、浴１Ｌあたり約０．００１ｇ〜約１００ｇである請求項１の金属メッキ浴。
【手続補正４】
【補正対象書類名】明細書
【補正対象項目名】請求項１２
【補正方法】変更
【補正の内容】
【請求項１２】
光沢剤が、式：ＨＯ３Ｓ−Ｒ１１−ＳＨ；ＨＯ３Ｓ−Ｒ１１−Ｓ−Ｓ−Ｒ１１−ＳＯ３Ｈ（式中、Ｒ１１はＣ１−Ｃ６アルキルまたはアリール基である）；あるいはＨＯ３Ｓ−Ａｒ−Ｓ−Ｓ−Ａｒ−ＳＯ３Ｈ（式中、Ａｒはフェニルまたはナフチルである）を有する化合物を含み、アルキルおよびアリール基はアルキル基、ハロまたはアルコキシ基で置換されていてもよいし、あるいは置換されていなくてもよい請求項１１記載の金属メッキ浴。
【手続補正５】
【補正対象書類名】明細書
【補正対象項目名】請求項１９
【補正方法】変更
【補正の内容】
【請求項１９】
添加剤消費を抑制するアルコールが、式：
【化３】
2003129270.tif 000002
（式中、Ｒ、Ｒ１、Ｒ２およびＲ３は独立して、水素；−ＯＨ；ヒドロキシ（Ｃ１−Ｃ２０）直鎖、分枝、または環状アルキル；ヒドロキシ（Ｃ２−Ｃ２０）直鎖、または分枝アルケニル；ヒドロキシ（Ｃ２−Ｃ２０）直鎖、または分枝アルキニル；ヒドロキシ（Ｃ１−Ｃ２０）直鎖、または分枝アルコキシ；ヒドロキシアリール；（Ｃ１−Ｃ２０）直鎖、分枝、または環状アルキル；（Ｃ２−Ｃ２０）直鎖、または分枝アルケニル；（Ｃ２−Ｃ２０）直鎖、または分枝アルキニル；（Ｃ１−Ｃ２０）直鎖、または分枝アルコキシ；アリール；ハロゲン；チエニル；シリル；シラン；−Ｓｉ（ＯＨ）３；−ＣＮ；ＳＣＮ；−Ｃ＝ＮＳ；−ＳＨ；−ＮＯ２；ＳＯ２Ｈ；−ＳＯ３Ｍ；ＰＯ３Ｍ；−Ｐ（Ｒ４）２；アミニル；アミニルハライド；ヒドロキシアミニル；ケト；エステル；またはアシルハライドである；ただし、Ｒ、Ｒ１、Ｒ２およびＲ３の少なくとも１つは−ＯＨ；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、またはヒドロキシアリールであり；Ｒ４は水素またはハロゲンであり；Ｍは水素またはアルカリ金属であり；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシアリール、ヒドロキシ（Ｃ１−Ｃ２０）アルコキシ、（Ｃ１−Ｃ２０）アルキル、（Ｃ２−Ｃ２０）アルケニル、（Ｃ２−Ｃ２０）アルキニル、（Ｃ１−Ｃ２０）アルコキシ、およびアリール基は置換されていてもよいし、あるいは置換されていなくてもよい；あるいは
Ｒ１およびＲ２は一緒になって結合を形成するか；またはＲ１およびＲ２はこれらが結合している原子と一緒になって５〜７員炭素環を形成する；該５〜７員炭素環は１以上のカルボニル基を含んでもよい；該５〜７員炭素環は任意に１以上の５〜６員環と縮合してもよく、該１以上の５または６員縮合環は環中に１以上のカルボニル基を含んでもよい；該５〜７員環または１以上の５〜６員縮合環は環において炭素が複素原子と置換されて複素環を形成してもよく、該複素原子は酸素または窒素であってもよく；５〜７員環、５または６員縮合環、または複素環は置換されていなくてもよいし、置換されていてもよい；ＲおよびＲ３は前記定義の通りである；Ｒ１およびＲ２が一緒になって結合または環構造を形成する場合には、該化合物には少なくとも１つのＯＨ基が存在する）
を有する化合物である請求項１８記載の金属銅メッキ浴。
【手続補正６】
【補正対象書類名】明細書
【補正対象項目名】請求項２３
【補正方法】変更
【補正の内容】
【請求項２３】
添加剤消費を抑制する化合物が、５−メトキシレゾルシノール、４−クロロレゾルシノール、２−ニトロレゾルシノール、２−アリルフェノール、１，２，４−ベンゼントリオール、イソオイゲノール、α，α，α−トリフルオロ−ｍ−クレゾール、クレゾール、４−ｔｅｒｔ−ブチルカテコール、３−ヒドロキシ−１−ベンジルアルコール、フェニルメチル、フロログルシノール二水和物、無水物、オリベトール、３−クロロフェノール、１，２−ベンゼンジメタノール、１，３−ベンゼンジメタノール、４−アミノフェノール、４−メトキシフェノール、４−エチルレゾルシノール、ヒドロキノン、クロロキノン、ヒドロキノンスルホン酸カリウム塩、４−（メチルチオ）−ベンジルアルコール、ベンジルアルコール、コニフェリルアルコール、３−メトキシカテコール、４−メルカプトフェノール、４，４’−チオジフェノール、３−メトキシフェノール、フェノール、オルシノール一水和物、またはその混合物を含む請求項２０記載の銅金属メッキ浴。
【手続補正７】
【補正対象書類名】明細書
【補正対象項目名】請求項３０
【補正方法】変更
【補正の内容】
【請求項３０】
光沢剤が、式：ＨＯ３Ｓ−Ｒ１１−ＳＨ；ＨＯ３Ｓ−Ｒ１１−Ｓ−Ｓ−Ｒ１１−ＳＯ３Ｈ（式中、Ｒ１１はＣ１−Ｃ６アルキルまたはアリール基である）；あるいはＨＯ３Ｓ−Ａｒ−Ｓ−Ｓ−Ａｒ−ＳＯ３Ｈ（式中、Ａｒはフェニルまたはナフチルであり、該アルキルおよびアリール基はアルキル基、ハロ、またはアルコキシで置換されていても、置換されていなくてもよい）を有する化合物を含む請求項２９記載の銅金属メッキ浴。
【手続補正８】
【補正対象書類名】明細書
【補正対象項目名】請求項３３
【補正方法】変更
【補正の内容】
【請求項３３】
添加剤消費を抑制するアルコールが、式：
【化５】
2003129270.tif 000003
（式中、Ｒ、Ｒ１、Ｒ２およびＲ３は独立して、水素；−ＯＨ；ヒドロキシ（Ｃ１−Ｃ２０）直鎖、分枝、または環状アルキル；ヒドロキシ（Ｃ２−Ｃ２０）直鎖、または分枝アルケニル；ヒドロキシ（Ｃ２−Ｃ２０）直鎖、または分枝アルキニル；ヒドロキシ（Ｃ１−Ｃ２０）直鎖、または分枝アルコキシ；ヒドロキシアリール；（Ｃ１−Ｃ２０）直鎖、または分枝アルキル；（Ｃ２−Ｃ２０）直鎖または分枝アルケニル；（Ｃ２−Ｃ２０）直鎖または分枝アルキニル；（Ｃ１−Ｃ２０）直鎖または分枝アルコキシ；アリール；ハロゲン；チエニル；−ＣＮ；−ＳＣＮ；−Ｃ＝ＮＳ；−ＳＨ；−ＮＯ２；ＳＯ２Ｈ；−ＳＯ３Ｍ；ＰＯ３Ｍ；−Ｐ（Ｒ４）；シリル；シラン；−Ｓｉ（ＯＨ）３；アミニル；アミニルハライド；ヒドロキシアミニル；またはアシルハライドである；ただし、Ｒ、Ｒ１、Ｒ２およびＲ３の少なくとも１つは−ＯＨ；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、またはヒドロキシアリールであり；Ｒ４は、水素またはハロゲンである；Ｍは水素またはアルカリ金属である；あるいは
Ｒ１およびＲ２は一緒になって結合を形成するか；またはＲ１およびＲ２はこれらが結合している原子と一緒になって５〜７員炭素環を形成する；該５〜７員炭素環はカルボニル基を含んでもよい；あるいは５〜７員炭素環は５〜６員環と縮合してもよく、５または６員縮合環は環中にカルボニル基を含んでもよい；該５〜７員環または５〜６員縮合環は環において炭素が複素原子と置換されていてもよく、複素原子は酸素または窒素であってもよい；５〜７員環および縮合５または６員環は置換されていていなくてもよいし、置換されていてもよい；ＲおよびＲ３は前記定義の通りである；Ｒ１およびＲ２は一緒になって結合または環を形成し、該化合物には少なくとも１つのＯＨ基が存在する）
を有する化合物である請求項３２記載の方法。
【手続補正９】
【補正対象書類名】明細書
【補正対象項目名】請求項４１
【補正方法】変更
【補正の内容】
【請求項４１】
添加剤消費を抑制する化合物が、浴１Ｌあたり約０．００１ｇ〜約１００ｇである請求項３２記載の方法。
【手続補正１０】
【補正対象書類名】明細書
【補正対象項目名】請求項４４
【補正方法】変更
【補正の内容】
【請求項４４】
光沢剤が、式：ＨＯ３Ｓ−Ｒ１１−ＳＨ；ＨＯ３Ｓ−Ｒ１１−Ｓ−Ｓ−Ｒ１１−ＳＯ３Ｈ（式中、Ｒ１１はＣ１−Ｃ６アルキルまたはアリール基である）；あるいはＨＯ３Ｓ−Ａｒ−Ｓ−Ｓ−Ａｒ−ＳＯ３Ｈ（式中、Ａｒはフェニルまたはナフチルであり、該アルキルおよびアリール基はアルキル基、ハロ、またはアルコキシ基で置換されていても、置換されていなくてもよい）を有する化合物を含む請求項４３記載の方法。
【手続補正１１】
【補正対象書類名】明細書
【補正対象項目名】請求項４７
【補正方法】変更
【補正の内容】
【請求項４７】
添加剤消費を抑制するアルコールが、以下の式：
【化７】
2003129270.tif 000004
（式中、Ｒ、Ｒ１、Ｒ２およびＲ３は独立して、水素；−ＯＨ；ヒドロキシ（Ｃ１−Ｃ２０）直鎖、分枝、または環状アルキル；ヒドロキシ（Ｃ２−Ｃ２０）直鎖、または分枝アルケニル；ヒドロキシ（Ｃ２−Ｃ２０）直鎖、または分枝アルキニル；ヒドロキシ（Ｃ１−Ｃ２０）直鎖、または分枝アルコキシ；ヒドロキシアリール；（Ｃ１−Ｃ２０）直鎖、または分枝アルキル；（Ｃ２−Ｃ２０）直鎖、または分枝アルケニル；（Ｃ２−Ｃ２０）直鎖、または分枝アルキニル；（Ｃ１−Ｃ２０）直鎖、または分枝アルコキシ；アリール；ハロゲン；チエニル；シリル；シラン；−Ｓｉ（ＯＨ）３；アミニル；アミニルハライド；ヒドロキシアミニル；−ＣＮ；ＳＣＮ；−Ｃ＝ＮＳ；−ＳＨ；−ＮＯ２；ＳＯ２Ｈ；−ＳＯ３Ｍ；−ＰＯ３Ｍ；−Ｐ（Ｒ４）２；ケト；エステル；またはアシルハライドである；ただし、Ｒ、Ｒ１、Ｒ２およびＲ３の少なくとも１つは−ＯＨ；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、またはヒドロキシアリールであり；Ｒ４は水素またはハロゲンであり；Ｍは水素またはアルカリ金属であり；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、ヒドロキシアリール、（Ｃ１−Ｃ２０）アルキル、（Ｃ２−Ｃ２０）アルケニル、（Ｃ２−Ｃ２０）アルキニル、（Ｃ１−Ｃ２０）アルコキシであるか、あるいはアリール基は置換されていなくてもよいし、あるいは置換されていてもよい；あるいは
Ｒ１およびＲ２は一緒になって結合を形成するか；またはＲ１およびＲ２はこれらが結合している原子と一緒になって５〜７員炭素環を形成する；該５〜７員炭素環はカルボニル基を含んでもよい；または５〜６員環と縮合した５〜７員炭素環を形成し、該５〜６員環は環においてカルボニル基を含んでもよい；あるいは該５〜７員環または５〜６員縮合環は複素原子を含有して複素環を形成してもよく、環内の複素原子は酸素または窒素であつてもよく；５〜７員環、５または６員縮合環、および複素環は置換されていなくてもよいし、置換されていてもよい；ＲおよびＲ３は前記定義の通りである；Ｒ１およびＲ２が一緒になって結合または環構造を形成する場合には、該化合物には少なくとも１つのＯＨ基が存在する）
を有する化合物である請求項４６記載の方法。
【手続補正１２】
【補正対象書類名】明細書
【補正対象項目名】請求項５７
【補正方法】変更
【補正の内容】
【請求項５７】
さらに、光沢剤、レベラー、硬化剤、湿潤剤、展性改良剤、延性改良剤、堆積改良剤、抑制物質、またはこれらの混合物を含む請求項４６記載の方法。
【手続補正１３】
【補正対象書類名】明細書
【補正対象項目名】請求項５８
【補正方法】変更
【補正の内容】
【請求項５８】
光沢剤が、式：ＨＯ３Ｓ−Ｒ１１−ＳＨ；ＨＯ３Ｓ−Ｒ１１−Ｓ−Ｓ−Ｒ１１−ＳＯ３Ｈ（式中、Ｒ１１はＣ１−Ｃ６アルキルまたはアリール基である）；あるいはＨＯ３Ｓ−Ａｒ−Ｓ−Ｓ−Ａｒ−ＳＯ３Ｈ（式中、Ａｒはフェニルまたはナフチルである）を有する化合物を含み、アルキルおよびアリール基がアルキル基、ハロまたはアルコキシ基で置換されているかまたは置換されていない請求項５７記載の方法。
【手続補正１４】
【補正対象書類名】明細書
【補正対象項目名】請求項６０
【補正方法】変更
【補正の内容】
【請求項６０】
電流が不溶性陽極および陰極に流れるように、並びに不溶性陽極および陰極が、銅、金、銀、パラジウム、白金、コバルト、カドミウム、クロム、ビスマス、インジウム、ロジウム、イリジウム、およびルテニウムからなる群から選択される金属の塩、および添加剤消費を抑制するアルコールを含む金属メッキ浴と接触するように、不溶性陽極および陰極と電気的に連結された電源を含む、基体を電気メッキする装置。
【手続補正１５】
【補正対象書類名】明細書
【補正対象項目名】請求項６１
【補正方法】変更
【補正の内容】
【請求項６１】
添加剤消費を抑制する化合物が、以下の式：
【化９】
2003129270.tif 000005
（式中、Ｒ、Ｒ１、Ｒ２およびＲ３は独立して、水素；−ＯＨ；ヒドロキシ（Ｃ１−Ｃ２０）直鎖、分枝、または環状アルキル；ヒドロキシ（Ｃ２−Ｃ２０）直鎖、または分枝アルケニル；ヒドロキシ（Ｃ２−Ｃ２０）直鎖、または分枝アルキニル；ヒドロキシ（Ｃ１−Ｃ２０）直鎖、または分枝アルコキシ；ヒドロキシアリール；（Ｃ１−Ｃ２０）直鎖、または分枝アルキル；（Ｃ２−Ｃ２０）直鎖、または分枝アルケニル；（Ｃ２−Ｃ２０）直鎖、または分枝アルキニル；アリール；ハロゲン；チエニル；−ＣＮ；ＳＣＮ；−Ｃ＝ＮＳ；−ＳＨ；−ＮＯ２；−ＳＯ２Ｈ；−ＳＯ３Ｍ；−ＰＯ３Ｍ；−Ｐ（Ｒ４）２；−Ｓｉ（ＯＨ）３；シラン；シリル；アミニル；アミニルハライド；ヒドロキシアミニル；ケト；エステル；またはアシルハライドである；ただし、Ｒ、Ｒ１、Ｒ２およびＲ３の少なくとも１つは−ＯＨ；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、またはヒドロキシアリールであり；Ｒ４は水素またはハロゲンであり；Ｍは水素またはアルカリ金属である；あるいは
Ｒ１およびＲ２は一緒になって結合を形成するか；またはＲ１およびＲ２はこれらが結合している原子と一緒になって５〜７員炭素環を形成する；または１以上の５〜６員炭素環と縮合した５〜７員炭素環を形成する；該５〜７員環および１以上の５〜６員炭素環はそれぞれ環中に１以上のカルボニル基を含んでもよい；あるいは該５〜７員環または１以上の５〜６員縮合環は環において炭素が複素原子と置換されて複素環を形成してもよく、該複素原子は酸素または窒素であつてもよく；５〜７員環、および５または６員縮合環は置換されていなくてもよいし、置換されていてもよい；ＲおよびＲ３は前記定義の通りである；Ｒ１およびＲ２が一緒になって結合または環構造を形成する場合には、該化合物には少なくとも１つのＯＨ基が存在する）
を有する化合物である請求項６０記載の装置。
【手続補正１６】
【補正対象書類名】明細書
【補正対象項目名】請求項６４
【補正方法】変更
【補正の内容】
【請求項６４】
添加剤消費を抑制する化合物が浴１Ｌあたり約０．００１ｇ〜約１００．０ｇである請求項６０記載の装置。
【手続補正１７】
【補正対象書類名】明細書
【補正対象項目名】００３０
【補正方法】変更
【補正の内容】
【００３０】
本発明の金属メッキ浴は、基体上の金属堆積を向上させるために金属メッキ浴に添加される添加剤の劣化を抑制するアルコールを含む。かかるアルコールとしては、アルキル、アルケニルおよびアルキニルアルコール（非分岐または分岐）、ならびに芳香族アルコール、および非芳香族環状アルコールが挙げられる。かかるアルコールとしてはさらに、複素環式アルコールが挙げられる。本発明の範囲内のアルコールは、１またはそれ以上のヒドロキシル基を有することができる。本発明のアルコールはまた、非置換であってもよいし、置換されていてもよい。置換されているとは、炭素の１またはそれ以上の水素が１またはそれ以上の置換基により置換されていることを意味する。好ましいアルコールは、式Ｉ：
【化１１】
2003129270.tif 000006
（式中、Ｒ、Ｒ１、Ｒ２およびＲ３は独立して、水素；−ＯＨ；ヒドロキシ（Ｃ１−Ｃ２０）直鎖、分枝、または環状アルキル；ヒドロキシ（Ｃ２−Ｃ２０）直鎖、または分枝アルケニル；ヒドロキシ（Ｃ２−Ｃ２０）直鎖、または分枝アルキニル；ヒドロキシ（Ｃ１−Ｃ２０）直鎖、または分枝アルコキシ；ヒドロキシアリール；（Ｃ１−Ｃ２０）直鎖、分枝、または環状アルキル；（Ｃ２−Ｃ２０）直鎖、または分枝アルケニル；（Ｃ２−Ｃ２０）直鎖、または分枝アルキニル；（Ｃ１−Ｃ２０）直鎖、または分枝アルコキシ；アリール；ハロゲン；チエニル；−ＣＮ；ＳＣＮ；−Ｃ＝ＮＳ；−ＳＨ；−ＮＯ２；ＳＯ２Ｈ；−ＳＯ３Ｍ；シラン；シリル；−Ｓｉ（ＯＨ）３；ＰＯ３Ｍ；−Ｐ（Ｒ４）２；アミニル；アミニルハライド；ヒドロキシアミニル；エステル；ケト；またはアシルハライドである；ただし、Ｒ、Ｒ１、Ｒ２、またはＲ３の少なくとも１つは−ＯＨ；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、またはヒドロキシアリールであり；Ｒ４は水素またはハロゲンであり；Ｍは水素またはアルカリ金属、たとえば、Ｌｉ、Ｎａ、Ｋ、Ｒｂ、またはＣｓであり；ヒドロキシ（Ｃ１−Ｃ２０）アルキル、ヒドロキシ（Ｃ２−Ｃ２０）アルケニル、ヒドロキシ（Ｃ２−Ｃ２０）アルキニル、ヒドロキシ（Ｃ１−Ｃ２０）アルコキシ、ヒドロキシアリール、（Ｃ１−Ｃ２０）アルキル、（Ｃ２−Ｃ２０）アルケニル、（Ｃ２−Ｃ２０）アルキニル、およびアリール基は置換されているかまたは置換されていないとする；あるいは
Ｒ１およびＲ２は一緒になって炭素−炭素結合を形成するか；またはＲ１およびＲ２はこれらが結合している原子と一緒になって、５〜７員炭素環を形成する；または５〜７員炭素環は任意に１またはそれ以上の５または６員炭素環と縮合していてもよい；該５〜７員環および１またはそれ以上の５または６員環はそれぞれ環において任意に１またはそれ以上のカルボニルを含んでもよい；あるいは５〜７員環、あるいは１またはそれ以上の５または６員縮合環はそれぞれ任意に複素原子、たとえば酸素または窒素を含んで、複素環を形成する；該複素環は、環中にカルボニル基を含んでもよい；５〜７員環、５〜６員縮合環および複素環は非置換であってもよいし、または置換されていてもよい；ＲおよびＲ３は前記定義の通りである）
を有する化合物を包含する。Ｒ１およびＲ２は一緒になって結合または環構造を形成する場合には、該化合物には少なくとも１つのＯＨ基が存在する。